(57)【要約】      （修正有）【課題】主として被介護者が着用するオムツカバーのずれ落ちや脱落を防止する為の介護用ベルトに関するものであり、又、健康な一般人にとっても多用途の使用が可能な伸縮性を有する平ベルト及び補助ベルトに関する多用途ベルトを提供する。【解決手段】二本の伸縮性を有する平ベルトの各々の一端に挟圧把持具を固定し、他端部には連結具を装着し、これら平ベルトの中間部に長短調節具を設けた二本一対のベルト、あるいは、これら二本一対のベルトの間に補助ベルトを装着した多用途ベルト。【選択図】図１
0003117362.tif 000002
【実用新案登録請求の範囲】
【請求項１】
二本の伸縮可能な平ベルトの各々の一端に挟圧把持具を固定し、他端部には可動する連結具を装着し、これらの平ベルトの中間部に長短調節具を装着した多用途ベルト。
【請求項２】
上記二本の平ベルトの間に長短調節具を備えた補助ベルトを連結したことを特徴とする請求項１記載の多用途ベルト。
【考案の詳細な説明】
【技術分野】
【０００１】
本考案は衣服等のズレ落ちとか脱落を防止する為に挟持するベルトに関するもので、特に被介護者に着用するオムツやオムツカバーのズレ落ちや脱落を防いだり、あるいは複数の補助ベルトの継ぎ足すことにより介護及び一般者用等が種々の目的に使用する多用途ベルトに関するものである。
【背景技術】
【０００２】
被介護者の中には歩行やリハビリ運動が必要な人がいてゴムバンドや、両面ファスナーを直接取付け、バンド等多種類市販されており、これらのバンドによりオムツやオムツカバーを止着している。しかし、それを装着して移動中に止着がはずれたり、脱落する事があった。
【特許文献１】実用新案登録第３０５２３５３号これに対し、実用新案登録第３０５２３５３号によれば、和服や長めの衣装着用して、降雨あるいはトイレ使用の際に衣類をたくし上げ、ウエストポーチなどに使用されている伸縮性のある帯状の布で止着するようにした万能ベルトが提案されている。
【考案の開示】
【考案が解決しようとする課題】
【０００３】
ところが、上記のごとき構成では、オムツやオムツカバーを止着することができるベルトを、バスタオルや着衣の据を止着しようとした場合、長さが不足して止着できないという問題がある。
本考案は長さの調節が容易に可能でオムツ、オムツカバー、バスタオルや着衣の裾めぐり等の種々に対応可能な多用途ベルトを提供することを目的とするものである。
【課題を解決するための手段】
【０００４】
二本一組とする伸縮性を有する平ベルト各々の一端には挟圧把持具を固定してあり、他の端部には互に一対の連結具を装着したものである。このようなベルトを用いた時にオムツ又はオムツカバーがズレ落ちたり脱落しないように長短の加減が出来る多用途ベルトである。
【考案の効果】
【０００５】
伸縮性を有するベルトであるために腹部を強く締め付けることがなく介助効率もよくなる。
【０００６】
一般の健常者でもトイレに入って排便する際における着衣の裾の垂れ下がりや厚着の時などにこの補助ベルトを連結して挟圧して止めて置くことが出来るので衛生的である。
【０００７】
図１のベルト一対および図３の補助ベルトを複数組み合わせることによって、長さを自由に調整することができ、一層多用途性が発揮できて便利となる。
【０００８】
図３の補助ベルトは複数に継ぎ足すことによって一般の人がサウナ風呂や大衆浴場に出入りする際に用いるバスタオルを挟圧把持してズレ落ちや脱落防止用としても使用できる。
【考案を実施するための最良の形態】
【０００９】
図１、図２に示すように基本的には本考案の二本一組のベルト（３）からなり共に伸縮性を有する平ベルト（３）で構成されている。
【００１０】
本考案の二本一組とする平ベルト（３）は、それぞれの一端に挟圧把持具（１）を縫着又は、貼着による結着部（２）で固定しておき、他方の端には該ベルト（５）に折り返し部が形成されるようにし、且つ連結具（６）を装着している。また、これら挟圧把持具（１）と連結具（６）との中間部に１個の長短調節具（４）を装着して折り返し、ベルト（５）端部において縫着又は貼着による結着部（２）を設けて長短調節具（４）に固定している。又該長短調節具（４）はベルト（３）に沿って可動がなめらかである。
【００１１】
図３及び図４において補助ベルト（１０）の構造を形態に付いて説明すると、１本の補助ベルト（１０）の両端部において連結具（６）を装着し長短調節具（４）を上記の要領で装着し、これら長短調節具（４）の中間部裏面にスベリ止用ゴム（１４）を貼着してある。
上記連結具（６）は、補助ベルト（１０）の一端に凹部連結具（６１）が形成され、他端に凸部連結具（６２）を形成することにより、前記二本一組のベルト（３）に連結し、長さを調節するようにしたものである。
【００１２】
本案の平ベルト（３）の使い方は図５に示したように先ず被介護者にオムツ（８）又はオムツカバー（８’）の左右上方部の破れにくい部分に挟圧把持具（１）で挟圧保持し、一対の連結具（６１）（６２）を連結した後に長短調節具（４）でそのベルトの締まり具合を調節すればよい。
【００１３】
図６、図７に示したように男性が例えば、サウナ及び風呂に出入りする際に通常のタオル（１１）を用いてフンドシの代用にする場合には、先ずタオル（１１）の一端の両側端部（隅）を本考案のベルト（３）の挟圧把持具（１）で挟圧保持し、臀部背後へ廻してから連結具（１）を連結して、そのタオル（１１）を太股（７）の間から前へ引き出してベルト（３）に挟せてフンドシを形成すればよい。
【００１４】
図８図９補助ベルトの（１０）の使い方は複数のベルトの組合せにより容易簡単使用出来る。
健常な男性女性がサウナ、及び温泉、浴場等でタオル又はバスタオルを使用する場合補助ベルト（１０）を連結具（６１）（６２）を複数継ぎ足して使用する。
【図面の簡単な説明】
【００１５】
【図１】本案の左右一対をなすベルトの平面図である。
【図２】本案の左右一対をなすベルトの右側面図である。
【図３】本案の補助ベルトの平面図である。
【図４】補助ベルトの右側面図である。
【図５】本案の左右一対のベルトを着用した状態を示す概略説明図である。
【図６】左右一対のベルトを用いて、タオルをフンドシの代用にした状態の説明図である。
【図７】タオルに本案一対のベルトを装着して、タオルフンドシを着用する要部拡大図である。
【図８】女性が補助ベルトを用いて、一般タオルを着用した状態を示す概略図である。
【図９】男性が補助ベルトを用いて、一般タオルを着用した状態を示す概略図である。
【符号の説明】
【００１６】
１    挟圧把持具
２    結着部
３    平ベルト
４    長短調節具
５    折り返し部分のベルト
６    連結具
６１  凹部連結具
６２  凸部連結具
７    太股
８    オムツ
８’  オムツカバー
９    腹部
１０  補助ベルト
１１  タオル
１２  補助ベルトを着用した女性
１３  補助ベルトを着用した男性
１４  スベリ止用ゴム板
【図１】
0003117362.tif 000003
【図２】
0003117362.tif 000004
【図３】
0003117362.tif 000005
【図４】
0003117362.tif 000006
【図５】
0003117362.tif 000007
【図６】
0003117362.tif 000008
【図７】
0003117362.tif 000009
【図８】
0003117362.tif 000010
【図９】
0003117362.tif 000011